【手続補正書】
【提出日】平成25年11月18日(2013.11.18)
【手続補正１】
【補正対象書類名】特許請求の範囲
【補正対象項目名】全文
【補正方法】変更
【補正の内容】
【特許請求の範囲】
【請求項１】
自身の先端によって入力位置を指し示すポインタを表示する画像表示部と、指の各時点での接触位置を逐次出力するタッチパネルと、当該指により該タッチパネルに与えられた押圧力を検出する押圧力検出部とを備えたユーザインタフェース装置であって、
当該指の各時点での接触位置に応じて、前記ポインタの前記先端の位置を逐次決定するポインタ位置決定手段と、
各時点で前記先端が決定された位置となるように前記ポインタを表示させるポインタ表示手段と、
前記押圧力が所定閾値以上であるか否かを判定する押圧力判定手段と、
前記押圧力判定手段が真の判定を行った際、前記ポインタの前記先端の位置に関連付けられた動作を発動させる動作制御手段と
を有することを特徴とするユーザインタフェース装置。
【請求項２】
当該指の接触位置が前記ポインタの表示位置範囲と重畳したか否かを判定する接触位置判定手段を更に有しており、
前記ポインタ位置決定手段は、前記接触位置判定手段が真の判定を行った際、当該指の各時点での接触位置に応じて、ポインタの先端の位置を逐次決定し、
前記動作制御手段は、前記先端の位置の軌跡であって、前記押圧力判定手段により真の判定がなされた区間となる軌跡に対応した、前記ポインタによる入力結果を表示させる
ことを特徴とする請求項１に記載のユーザインタフェース装置。
【請求項３】
ユーザの操作から見て、当該指を前記ポインタに接触させて該ポインタを保持した上で、当該指を該ポインタに押し込みながら移動させた際、前記動作制御手段は、当該指の移動に合わせて移動する前記先端の位置の軌跡に対応した、前記ポインタによる入力結果を表示させることを特徴とする請求項２に記載のユーザインタフェース装置。
【請求項４】
前記ポインタ位置決定手段は、当該指の接触位置が前記ポインタの表示位置範囲と重畳した当初の時点での当該指の接触位置を、同時点での前記先端の位置に変換する並進変換を算出し、その後の各時点で、当該指の接触位置を該並進変換によって変換した結果の位置を、該ポインタの前記先端の位置とすることを特徴とする請求項１又は２に記載のユーザインタフェース装置。
【請求項５】
前記ポインタによる入力結果は、前記画像表示部の画面に表示された所定の対象が、前記ポインタの先端による作用を受けて変化した結果であることを特徴とする請求項２から４のいずれか１項に記載のユーザインタフェース装置。
【請求項６】
前記ポインタによる入力結果は、前記先端の位置の軌跡を含む筆跡イメージであることを特徴とする請求項２から５のいずれか１項に記載のユーザインタフェース装置。
【請求項７】
前記ポインタ表示手段は、当該指による所定の操作に応じて、前記ポインタとして、右利き用のポインタと左利き用のポインタとを表示し分けることを特徴とする請求項２から６のいずれか１項に記載のユーザインタフェース装置。
【請求項８】
前記動作制御手段は、前記押圧力判定手段が真の判定を行った際、前記ポインタの前記先端の位置を自身の表示位置範囲内に含むオブジェクトに関連付けられた動作を発動させることを特徴とする請求項１に記載のユーザインタフェース装置。
【請求項９】
自身の先端によって入力位置を指し示すポインタを表示する画像表示部と、指の各時点での接触位置を逐次出力するタッチパネルと、当該指により該タッチパネルに与えられた押圧力を検出する押圧力検出部とを備えたユーザインタフェース装置に搭載されたプログラムであって、
当該指の各時点での接触位置に応じて、前記ポインタの前記先端の位置を逐次決定するポインタ位置決定手段と、
各時点で前記先端が決定された位置となるように前記ポインタを表示させるポインタ表示手段と、
前記押圧力が所定閾値以上であるか否かを判定する押圧力判定手段と、
前記押圧力判定手段が真の判定を行った際、前記ポインタの前記先端の位置に関連付けられた動作を発動させる動作制御手段と
してコンピュータを機能させることを特徴とするユーザインタフェース装置用のプログラム。
【請求項１０】
自身の先端によって入力位置を指し示すポインタを表示する画像表示部と、指の各時点での接触位置を逐次出力するタッチパネルと、当該指により該タッチパネルに与えられた押圧力を検出する押圧力検出部とを備えたユーザインタフェース装置における動作発動方法であって、
当該指の各時点での接触位置に応じて、前記ポインタの前記先端の位置を逐次決定する第１のステップと、
各時点で前記先端が決定された位置となるように前記ポインタを表示させる第２のステップと、
前記押圧力が所定閾値以上であるか否かを判定する第３のステップと、
第３のステップで真の判定がなされた際、前記ポインタの前記先端の位置に関連付けられた動作を発動させる第４のステップと
を有することを特徴とする動作発動方法。
【手続補正２】
【補正対象書類名】明細書
【補正対象項目名】００１２
【補正方法】変更
【補正の内容】
【００１２】
本発明によれば、自身の先端によって入力位置を指し示すポインタを表示する画像表示部と、指の各時点での接触位置を逐次出力するタッチパネルと、当該指により該タッチパネルに与えられた押圧力を検出する押圧力検出部とを備えたユーザインタフェース装置であって、
当該指の各時点での接触位置に応じて、ポインタの先端の位置を逐次決定するポインタ位置決定手段と、
各時点で先端が決定された位置となるようにポインタを表示させるポインタ表示手段と、
押圧力が所定閾値以上であるか否かを判定する押圧力判定手段と、
押圧力判定手段が真の判定を行った際、ポインタの先端の位置に関連付けられた動作を発動させる動作制御手段と
を有するユーザインタフェース装置が提供される。
【手続補正３】
【補正対象書類名】明細書
【補正対象項目名】００１７
【補正方法】変更
【補正の内容】
【００１７】
また、ポインタによる入力結果が表示される上記の実施形態において、ポインタによる入力結果は、画像表示部の画面に表示された所定の対象が、ポインタの先端による作用を受けて変化した結果であることも好ましい。
【手続補正４】
【補正対象書類名】明細書
【補正対象項目名】００２０
【補正方法】変更
【補正の内容】
【００２０】
本発明によれば、さらに、自身の先端によって入力位置を指し示すポインタを表示する画像表示部と、指の各時点での接触位置を逐次出力するタッチパネルと、当該指により該タッチパネルに与えられた押圧力を検出する押圧力検出部とを備えたユーザインタフェース装置に搭載されたプログラムであって、
当該指の各時点での接触位置に応じて、ポインタの先端の位置を逐次決定するポインタ位置決定手段と、
各時点で先端が決定された位置となるようにポインタを表示させるポインタ表示手段と、
押圧力が所定閾値以上であるか否かを判定する押圧力判定手段と、
押圧力判定手段が真の判定を行った際、ポインタの先端の位置に関連付けられた動作を発動させる動作制御手段と
してコンピュータを機能させるユーザインタフェース装置用のプログラムが提供される。
【手続補正５】
【補正対象書類名】明細書
【補正対象項目名】００２１
【補正方法】変更
【補正の内容】
【００２１】
本発明によれば、さらにまた、自身の先端によって入力位置を指し示すポインタを表示する画像表示部と、指の各時点での接触位置を逐次出力するタッチパネルと、当該指により該タッチパネルに与えられた押圧力を検出する押圧力検出部とを備えたユーザインタフェース装置における動作発動方法であって、
当該指の各時点での接触位置に応じて、ポインタの先端の位置を逐次決定する第１のステップと、
各時点で先端が決定された位置となるようにポインタを表示させる第２のステップと、
押圧力が所定閾値以上であるか否かを判定する第３のステップと、
第３のステップで真の判定がなされた際、ポインタの先端の位置に関連付けられた動作を発動させる第４のステップと
を有する動作発動方法が提供される。